(57)【要約】      （修正有）【課題】クイズ方式の質問および回答サービス提供方法およびシステムを提供する。【解決手段】質問者３１０が未来予測質問を生成するとＳＭＰＡ４１１を差引く（４１０）。回答者３２０が回答を登録するとＳＭＰＢ４２１を差引く（４２０）。予測者３３０が回答選択により予測するとＳＭＰｃ４３１を差引く（４３０）。予測締切後（４４０）、宣言者３４０がＦＲＣＤ４５１を担保に結果登録すると（４５０）、検証者がＦＲＣＥ４６１を担保に検証し（４６０）、適法検証者３５０にＦＲＣＥと報酬ＦＲＣＦ（４７１）、宣言者にＦＲＣＤと報酬ＦＲＣＧ（４７２）、正解した予測者３３０に報酬ＳＭＰＨ、質問者３１０に報酬ＳＭＰＩを提供する。参加者のスマートポイントＳＭＰのランキングに基づき、１位からｎ位までの参加者にＦＲＣを報酬として与える（４８０，４８１）。【選択図】図４
2020027650.tif 000002
【特許請求の範囲】
【請求項１】
質問および回答サービスにおいて、質問者から質問を受信する、質問受信段階、
回答者から前記質問の回答を受信する、回答受信段階、
回答フォロワーから前記回答に対するフォローを受信する、フォロー受信段階、
前記回答が正解であるかどうかが決定されると、前記質問者、前記回答者、および前記回答フォロワーに所定の割合でポイントに差等をつけて提供する、ポイント差等提供段階、
前記差等をつけて提供されたポイントに基づき、前記質問者、前記回答者、および前記回答フォロワーのポイント順位を決定する、ポイント順位決定段階、および
前記決定されたポイント順位に従って、前記質問者、前記回答者、および前記回答フォロワーのうちの少なくとも一部に対して報酬を提供する、報酬提供段階
を含む、質問および回答サービス提供方法。
【請求項２】
前記ポイント差等提供段階は、
正解である回答の受信時点または前記正解である回答に対するフォローの受信時点が、前記質問に対する予測締切時点から遠くなるほど線形的に比例して増加する追加ポイントを、前記正解である回答を提供した回答者または前記正解である回答をフォローした回答フォロワーにさらに提供する、
請求項１に記載の質問および回答サービス提供方法。
【請求項３】
前記回答の受信または前記回答に対するフォローの受信時に、前記回答者または前記回答フォロワーのポイントが、対応する回答の予測に使用され、
前記ポイント差等提供段階は、
正解である回答の予測に使用されたポイントのそれぞれの使用順序が早いほど、該当のポイントに対応して報酬として取得されるポイントが増加するように、前記回答者または前記回答フォロワーに提供するポイントを決定する、
請求項１に記載の質問および回答サービス提供方法。
【請求項４】
前記ポイント差等提供段階は、
前記質問に対する全体予測ポイントのｎ（前記ｎは有理数）％を持分比例によって分配し、残りの（１００−ｎ）％を持分比例および予測順序によって線形的に差等をつけて分配することにより、前記回答者または前記回答フォロワーに提供するポイントを決定する、
請求項１に記載の質問および回答サービス提供方法。
【請求項５】
前記ポイント差等提供段階は、
前記質問に対する全体ポイントのうち予め設定された第１割合のポイントを前記質問者に報酬として提供し、前記全体ポイントから前記第１割合のポイントを除いたポイント数と正解者数の割合に基づいて、前記回答者または前記回答フォロワーに提供するポイントを決定し、
前記正解者数は、正解である回答の受信数および前記正解である回答に対するフォロー数を含む、
請求項１に記載の質問および回答サービス提供方法。
【請求項６】
前記質問の正解を宣言する宣言者のコインのうちの少なくとも一部を担保金として凍結する段階、
前記宣言者が宣言した正解を検証する検証者のコインのうちの少なくとも一部を担保金として凍結する段階、および
前記宣言した正解が検証される場合、前記凍結された担保金を返還し、報酬として決定されたコインを前記宣言者および前記検証者に提供する、コイン提供段階
をさらに含む、請求項１に記載の質問および回答サービス提供方法。
【請求項７】
前記コイン提供段階は、
前記質問に対する全体ポイントの第２割合に対応する分のコインを前記宣言者に提供し、前記質問に対する全体ポイントの第３割合に対応する分のコインを前記検証者に提供する、
請求項６に記載の質問および回答サービス提供方法。
【請求項８】
前記宣言者が宣言した正解を前記検証者が検証する過程で使用されたＵＲＬ（Ｕｎｉｆｏｒｍ  Ｒｅｓｏｕｒｃｅ  Ｌｏｃａｔｏｒ）を記録し、質問のコンテンツと分野を分類して検証システムを構築する段階
をさらに含む、請求項６に記載の質問および回答サービス提供方法。
【請求項９】
前記質問の正解をウェブから収集する段階、および
前記収集された正解と前記質問に対して受信した回答とを比較し、受信した回答の中から正解として分類される回答を採択する段階
をさらに含む、請求項１に記載の質問および回答サービス提供方法。
【請求項１０】
前記質問および回答サービスの参加者は、ブロックチェーンを利用した取引の参加者を含み、
前記ポイント差等提供段階と前記報酬提供段階の少なくとも一方の段階が、前記ポイントの差等提供および前記報酬の提供のうちの少なくとも一方のための契約条件を実行するように、前記ブロックチェーンと関連して登録されるスマートコントラクト（ｓｍａｒｔ  ｃｏｎｔｒａｃｔ）によって実行される、
請求項１に記載の質問および回答サービス提供方法。
【請求項１１】
前記報酬は、前記ブロックチェーン上で利用される暗号通貨を含む、
請求項１０に記載の質問および回答サービス提供方法。
【請求項１２】
請求項１〜１１のうちのいずれか一項に記載の方法をコンピュータに実行させるためのプログラムが記録されている、コンピュータ読み取り可能な記録媒体。
【請求項１３】
コンピュータ装置であって、
コンピュータ読み取り可能な命令を実行するように実現される少なくとも１つのプロセッサ
を含み、
前記少なくとも１つのプロセッサにより、
質問および回答サービスにおいて、質問者から質問を受信し、
回答者から前記質問の回答を受信し、
回答フォロワーから前記回答に対するフォローを受信し、
前記回答が正解であるかどうかが決定されると、前記質問者、前記回答者、および前記回答フォロワーに所定の割合でポイントに差等をつけて提供し、
前記差等をつけて提供されたポイントに基づき、前記質問者、前記回答者、および前記回答フォロワーのポイント順位を決定し、
前記決定されたポイント順位に従って、前記質問者、前記回答者、および前記回答フォロワーのうちの少なくとも一部に対して報酬を提供する、
コンピュータ装置。
【請求項１４】
前記少なくとも１つのプロセッサにより、
正解である回答の受信時点または前記正解である回答に対するフォローの受信時点が前記質問に対する予測締切時点から遠くなるほど線形的に比例して増加する追加ポイントを、前記正解である回答を提供した回答者または前記正解である回答をフォローした回答フォロワーにさらに提供する、
請求項１３に記載のコンピュータ装置。
【請求項１５】
前記回答の受信または前記回答に対するフォローの受信時に、前記回答者または前記回答フォロワーのポイントが、対応する回答の予測に使用され、
前記少なくとも１つのプロセッサにより、
正解である回答の予測に使用されたポイントのそれぞれの使用順序が早いほど、該当のポイントに対応して報酬として取得するポイントが増加するように、前記回答者または前記回答フォロワーに提供するポイントを決定する、
請求項１３に記載のコンピュータ装置。
【請求項１６】
前記少なくとも１つのプロセッサにより、
前記質問に対する全体予測ポイントのｎ（前記ｎは有理数）％を持分比例によって分配し、残りの（１００−ｎ）％を持分比例および予測順序によって線形的に差等をつけて分配することにより、前記回答者または前記回答フォロワーに提供するポイントを決定する、
請求項１３に記載のコンピュータ装置。
【請求項１７】
前記少なくとも１つのプロセッサにより、
前記質問に対する全体ポイントのうち予め設定された第１割合のポイントを前記質問者に報酬として提供し、前記全体ポイントから前記第１割合のポイントを除いたポイント数と正解者数の割合に基づいて、前記回答者または前記回答フォロワーに提供するポイントを決定し、
前記正解者数は、正解である回答の受信数および前記正解である回答に対するフォロー数を含む、
請求項１３に記載のコンピュータ装置。
【請求項１８】
前記少なくとも１つのプロセッサにより、
前記質問の正解を宣言する宣言者のコインのうちの少なくとも一部を担保金として凍結し、
前記宣言者が宣言した正解を検証する検証者のコインのうちの少なくとも一部を担保金として凍結し、
前記宣言した正解が検証される場合、前記凍結された担保金を返還し、報酬として決定されたコインを前記宣言者および前記検証者に提供する、
請求項１３に記載のコンピュータ装置。
【請求項１９】
前記少なくとも１つのプロセッサにより、
前記質問の正解をウェブから収集し、
前記収集した正解と前記質問に対して受信した回答とを比較し、受信した回答の中から正解として分類される回答を採択する、
請求項１３に記載のコンピュータ装置。
【請求項２０】
前記質問および回答サービスの参加者は、ブロックチェーンを利用した取引の参加者を含み、
前記少なくとも１つのプロセッサにより、
前記ブロックチェーンと関連して登録されるスマートコントラクト（ｓｍａｒｔ  ｃｏｎｔｒａｃｔ）上の制約条件に基づいて前記ポイントを差等提供するか、または前記報酬を提供する、
請求項１３に記載のコンピュータ装置。
【発明の詳細な説明】
【技術分野】
【０００１】
以下の説明は、クイズ方式の質問および回答サービス提供方法およびシステムを提供する。
【背景技術】
【０００２】
ユーザ同士で知識を共有するためのプラットホームが、多様な方式で存在している。例えば、特許文献１は、コミュニティサイトの質問回答掲示板サービス提供方法に関し、知識共有サイトとコミュニティサイトが互いに連動して質問回答サービスを提供する方法を開示している。
【先行技術文献】
【特許文献】
【０００３】
【特許文献１】韓国公開特許第１０−２０１０−００７９６２０号公報
【発明の概要】
【発明が解決しようとする課題】
【０００４】
ユーザが直接参加することができ、正確な答えがあり、これを検証することができる未来予測クイズ方式の質問および回答サービス提供方法およびシステムを提供する。
【課題を解決するための手段】
【０００５】
質問および回答サービスにおいて、質問者から質問を受信する、質問受信段階、回答者から前記質問の回答を受信する、回答受信段階、回答フォロワーから前記回答のフォローを受信する、フォロー受信段階、前記回答の正解が決まると、前記質問者、前記回答者、および前記回答フォロワーに所定の割合でポイントに差等をつけて提供する、ポイント差等提供段階、前記差等をつけて提供されたポイントに基づき、前記質問者、前記回答者、および前記回答フォロワーのポイント順位を決定する段階、および前記決定されたポイント順位に従って、前記質問者、前記回答者、および前記回答フォロワーのうちの少なくとも一部に報酬を提供する、報酬提供段階を含む、質問および回答サービス提供方法を提供する。
【０００６】
一側面によると、前記ポイント差等提供段階は、正解である回答の受信時点または前記正解である回答に対するフォローの受信時点が前記質問に対する予測締切時点から遠ざかるほど線形的に比例して増加する追加ポイントを、前記正解である回答を提供した回答者または前記正解である回答をフォローした回答フォロワーにさらに提供してよい。
【０００７】
他の側面によると、前記回答の受信または前記回答に対するフォローの受信時に、前記回答者または前記回答フォロワーのポイントが、対応する回答の予測に使用され、前記ポイント差等提供段階は、正解である回答の予測に使用されたポイントのそれぞれの使用順序が早いほど、該当のポイントに対応して報酬として取得するポイントが増加するように、前記回答者または前記回答フォロワーに提供するポイントを決定してよい。
【０００８】
また他の側面によると、前記ポイント差等提供段階は、前記質問に対する全体予測ポイントのｎ（前記ｎは有理数）％を持分比例によって分配し、残りの（１００−ｎ）％を持分比例および予測順序によって線形的に差等をつけて分配することで、前記回答者または前記回答フォロワーに提供するポイントを決定してよい。
【０００９】
また他の側面によると、前記ポイント差等提供段階は、前記質問に対する全体ポイントのうち予め設定された第１割合のポイントを前記質問者に報酬として提供し、前記全体ポイントから前記第１割合のポイントを除いたポイント数と正解者数の割合に基づいて、前記回答者または前記回答フォロワーに提供するポイントを決定し、前記正解者数は、正解である回答の受信数および前記正解である回答に対するフォロー数を含んでよい。
【００１０】
また他の側面によると、前記質問および回答サービス提供方法は、前記質問の正解を宣言する宣言者のコインのうちの少なくとも一部を担保金として凍結する段階、前記宣言者が宣言した正解を検証する検証者のコインのうちの少なくとも一部を担保金として凍結する段階、および前記宣言した正解が検証された場合には前記凍結した担保金を返還し、報酬として決定されたコインを前記宣言者および前記検証者に提供する、コイン提供段階をさらに含んでよい。
【００１１】
また他の側面によると、前記コイン提供段階は、前記質問に対する全体ポイントの第２割合に対応する分のコインを前記宣言者に提供し、前記質問に対する全体ポイントの第３割合に対応する分のコインを前記検証者に提供してよい。
【００１２】
また他の側面によると、前記質問および回答サービス提供方法は、前記宣言者が宣言した正解を検証者が検証する過程で使用されたＵＲＬ（Ｕｎｉｆｏｒｍ  Ｒｅｓｏｕｒｃｅ  Ｌｏｃａｔｏｒ）を記録し、質問のコンテンツと分野を分類して検証システムを構築する段階をさらに含んでよい。
【００１３】
また他の側面によると、前記質問および回答サービス提供方法は、前記質問の正解をウェブから収集する段階、および前記収集した正解と前記質問に対して受信した回答とを比較し、受信した回答の中から正解として分類される回答を採択する段階をさらに含んでよい。
【００１４】
また他の側面によると、前記質問および回答サービスの参加者は、ブロックチェーンを利用した取引の参加者を含み、前記ポイント差等提供段階と前記報酬提供段階のうちの少なくとも一方の段階が前記ポイントの差等提供および前記報酬の提供のうちの少なくとも１つのための契約条件を実行するように、前記ブロックチェーンと関連して登録されるスマートコントラクト（ｓｍａｒｔ  ｃｏｎｔｒａｃｔ）によって実行されてよい。
【００１５】
さらに他の側面によると、前記報酬は、前記ブロックチェーン上で利用される暗号通貨を含んでよい。
【００１６】
前記方法をコンピュータに実行させるためのプログラムが記録されている、コンピュータ読み取り可能な記録媒体を提供する。
【００１７】
コンピュータ装置であって、コンピュータ読み取り可能な命令を実行するように実現される少なくとも１つのプロセッサを含み、前記少なくとも１つのプロセッサにより、質問および回答サービスにおいて、質問者から質問を受信し、回答者から前記質問の回答を受信し、回答フォロワーから前記回答に対するフォローを受信し、前記回答の正解が決まると、前記質問者、前記回答者、および前記回答フォロワーに所定の割合でポイントに差等をつけて提供し、前記差等提供されたポイントに基づいて前記質問者、前記回答者、および前記回答フォロワーのポイント順位を決定し、前記決定されたポイント順位に従って前記質問者、前記回答者、および前記回答フォロワーのうちの少なくとも一部に対して報酬を提供する、コンピュータ装置を提供する。
【図面の簡単な説明】
【００１８】
【図１】本発明の一実施形態における、ネットワーク環境の例を示した図である。
【図２】本発明の一実施形態における、コンピュータ装置の例を示したブロック図である。
【図３】本発明の一実施形態における、質問および回答サービスの参加者の例を示した図である。
【図４】本発明の一実施形態における、参加者の質問および回答サービスへの参加による報酬モデルの例を示した図である。
【図５】本発明の一実施形態における、質問および回答サービス提供方法の例を示したフローチャートである。
【図６】本発明の一実施形態における、宣言者と検証者による正解宣言および検証方法の例を示した図である。
【図７】本発明の一実施形態における、正解宣言および検証方法の他の例を示した図である。
【発明を実施するための形態】
【００１９】
以下、実施形態について、添付の図面を参照しながら詳しく説明する。
【００２０】
本発明の実施形態に係る質問および回答サービス提供方法は、以下で説明される少なくとも１つのコンピュータ装置によって実行されてよい。このとき、コンピュータ装置においては、本発明の一実施形態に係るコンピュータプログラムがインストールされて実行されてよく、コンピュータ装置は、実行されるコンピュータプログラムの制御に従って本発明の実施形態に係る質問および回答サービス提供方法を実行してよい。上述したコンピュータプログラムは、コンピュータ装置と結合し、本発明の実施形態に係る方法をコンピュータ装置に実行させるためにコンピュータ読み取り可能な記録媒体に記録されてよい。
【００２１】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。また、図１のネットワーク環境は、本実施形態に適用可能な環境のうちの１つの例を説明したものに過ぎず、本実施形態に適用可能な環境が図１のネットワーク環境に限定されることはない。
【００２２】
複数の電子機器１１０、１２０、１３０、１４０は、コンピュータ装置によって実現される固定端末や移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレットなどがある。一例として、図１では、電子機器１（１１０）の例としてスマートフォンを示しているが、本発明の実施形態において、電子機器１（１１０）は、実質的に無線または有線通信方式を利用し、ネットワーク１７０を介して他の電子機器１２０、１３０、１４０および／またはサーバ１５０、１６０と通信することのできる多様な物理的なコンピュータ装置のうちの１つを意味してよい。
【００２３】
通信方式が限定されることはなく、ネットワーク１７０が含むことのできる通信網（一例として、移動通信網、有線インターネット、無線インターネット、放送網）を利用する通信方式だけではなく、機器間の近距離無線通信が含まれてよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２４】
サーバ１５０、１６０のそれぞれは、複数の電子機器１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０にサービス（一例として、映像通話サービス、金融サービス、決済サービス、ソーシャルネットワークサービス、メッセージングサービス、検索サービス、メールサービス、コンテンツ提供サービス、質問および回答サービス）を提供するシステムであってよい。
【００２５】
図２は、本発明の一実施形態における、コンピュータ装置の例を示したブロック図である。上述したような複数の電子機器１１０、１２０、１３０、１４０のそれぞれやサーバ１５０、１６０のそれぞれは、図２に示したコンピュータ装置２００によって実現されてよく、本発明の実施形態に係る方法は、このようなコンピュータ装置２００によって実行されてよい。
【００２６】
このとき、図２に示すように、コンピュータ装置２００は、メモリ２１０、プロセッサ２２０、通信インタフェース２３０、および入力／出力インタフェース２４０を含んでよい。メモリ２１０は、コンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブのような永続的大容量記録装置を含んでよい。ここで、ＲＯＭやディスクドライブのような永続的大容量記録装置は、メモリ２１０とは区分される別の永続的記録装置としてコンピュータ装置２００に含まれてもよい。また、メモリ２１０には、オペレーティングシステムと、少なくとも１つのプログラムコードが記録されてよい。このようなソフトウェア構成要素は、メモリ２１０とは別のコンピュータ読み取り可能な記録媒体からメモリ２１０にロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信インタフェース２３０を通じてメモリ２１０にロードされてもよい。例えば、ソフトウェア構成要素は、ネットワーク１７０を介して受信されるファイルによってインストールされるコンピュータプログラムに基づいてコンピュータ装置２００のメモリ２１０にロードされてよい。
【００２７】
プロセッサ２２０は、基本的な算術、ロジック、および入出力演算を実行することにより、コンピュータプログラムの命令を処理するように構成されてよい。命令は、メモリ２１０または通信インタフェース２３０によって、プロセッサ２２０に提供されてよい。例えば、プロセッサ２２０は、メモリ２１０のような記録装置に記録されたプログラムコードに従って受信される命令を実行するように構成されてよい。
【００２８】
通信インタフェース２３０は、ネットワーク１７０を介してコンピュータ装置２００が他の装置（一例として、上述した記録装置）と互いに通信するための機能を提供してよい。一例として、コンピュータ装置２００のプロセッサ２２０がメモリ２１０のような記録装置に記録されたプログラムコードに従って生成した要求や命令、データ、ファイルなどが、通信インタフェース２３０の制御に従ってネットワーク１７０を介して他の装置に伝達されてよい。これとは逆に、他の装置からの信号や命令、データ、ファイルなどが、ネットワーク１７０を経てコンピュータ装置２００の通信インタフェース２３０を通じてコンピュータ装置２００に受信されてよい。通信インタフェース２３０を通じて受信された信号や命令、データなどは、プロセッサ２２０やメモリ２１０に伝達されてよく、ファイルなどは、コンピュータ装置２００がさらに含むことのできる記録媒体（上述した永続的記録装置）に記録されてよい。
【００２９】
入力／出力インタフェース２４０は、入力／出力装置２５０とのインタフェースのための手段であってよい。例えば、入力装置は、マイク、キーボード、カメラ、またはマウスなどの装置を、出力装置は、ディスプレイやスピーカのような装置を含んでよい。他の例として、入力／出力インタフェース２４０は、タッチスクリーンのように入力と出力のための機能が１つに統合された装置とのインタフェースのための手段であってもよい。入力／出力装置２５０は、コンピュータ装置２００と１つの装置で構成されてもよい。
【００３０】
また、他の実施形態において、コンピュータ装置２００は、図２の構成要素よりも少ないか多くの構成要素を含んでもよい。しかし、大部分の従来技術的構成要素を明確に図に示す必要はない。例えば、コンピュータ装置２００は、上述した入力／出力装置２５０のうちの少なくとも一部を含むように実現されてもよいし、トランシーバやデータベースなどのような他の構成要素をさらに含んでもよい。
【００３１】
図３は、本発明の一実施形態における、質問および回答サービスの参加者の例を示した図である。本実施形態に係る質問および回答サービスの参加者３００のそれぞれは、図３に示すように、質問者３１０、回答者３２０、予測者３３０、宣言者３４０、検証者３５０、およびコンテンツ消費者３６０のうちの少なくとも１人であってよい。より具体的な例として、参加者３００は、図１で説明した複数の電子機器１１０、１２０、１３０、１４０を利用し、ネットワーク１７０を介してサーバ１５０のような質問および回答サービス提供システムにアクセスして、質問および回答サービスの提供を受けてよく、このような質問および回答サービスにおいて、質問者３１０、回答者３２０、予測者３３０、宣言者３４０、検証者３５０、およびコンテンツ消費者３６０のうちの少なくとも１人として活動してよい。一例として、質問Ａを登録して、質問Ｂに対する回答を登録して、質問Ｃに対して登録された回答Ｄを選択した参加者１は、質問者３１０であり、回答者３２０であり、予測者３３０である。
【００３２】
質問者３１０は、質問および回答サービスに質問を登録する参加者であり得る。一例として、Ｎ（Ｎは自然数）人の参加者からＭ（Ｍは自然数）件の質問が登録されてよい。このとき、質問は、一例として、終了前のサッカーの試合結果などのように、少なくとも所定の時間後には正確な答えが存在し、正確な答えの検証が可能な未来予測型質問を含んでよい。質問および回答サービス提供システムは、質問者３１０として質問を登録する参加者の識別子を、登録された質問と関連付けてデータベースに記録してよい。このような質問者３１０は、信頼性の高い回答と、活動に見合った合理的かつ透明な報酬を望むであろう。
【００３３】
回答者３２０は、登録された質問の回答を質問および回答サービスに登録する参加者であり得る。このとき、質問者３１０が質問および回答サービスに登録した質問は、質問および回答サービスを通じて参加者にクイズ形態で提示されてよく、回答者３２０は、提示された質問のうちで自身が選択した質問の回答を、質問および回答サービスに登録することができる。このとき、未来予測型質問である場合は、正確な答えが生成される前であるため、この時点では回答者の回答の正確性は立証されない。質問および回答サービス提供システムは、回答者３２０として回答を登録する参加者の識別子を、登録された回答および対応する質問と関連付けてデータベースに記録することができる。このような回答者３２０は、娯楽性のある予測環境と、回答者３２０の寄与度に見合った合理的な報酬を望むであろう。
【００３４】
予測者３３０は、質問および回答サービスに登録された回答を選択する参加者であり得る。例えば、未来予測型質問の場合は、上述したように、正確な答えが生成される前であることから、多様な回答が存在するようになる。この場合、予測者３３０は、このような多様な回答のうち、どの回答が正解になるかを予測する参加者であってよい。質問および回答サービス提供システムは、どの参加者が予測者３３０であり、どの質問に対してどの回答を選択したかに関する情報を管理することができる。例えば、質問および回答サービス提供システムは、予測者３３０として回答を選択する参加者の識別子を、選択された回答と関連付けてデータベースに記録することができる。予測者３３０も回答者３２０と同様に、娯楽性のある予測環境と、回答者３２０の寄与度に見合った合理的な報酬を望むであろう。
【００３５】
宣言者３４０は、特定の質問に対する正確な答えを宣言する参加者であり得る。例えば、未来予測型質問に対する正確な答えが生成されることにより、宣言者３４０は、該当の未来予測型質問の正解を宣言してよい。一方、宣言者３４０が意図的に悪意をもって不正確な答えを宣言する可能性もあるため、図３に示すように、検証者３５０が存在してよい。検証者３５０は、宣言者３４０が宣言した答えの正確性を検証することができる。このような宣言者３４０と検証者３５０は、正確な情報生成に対する報酬と、活動に見合った合理的かつ透明な報酬を望むであろう。
【００３６】
コンテンツ消費者３６０は、質問と回答のクイズ形態で生成されるコンテンツを消費する参加者である。このようなコンテンツ消費者３６０は、検証された正確な情報が選別されて提供されることを望むであろうし、未知の未来に関する情報性予測コンテンツ（正確な答えが生成される前の質問と回答、または選択で構成されるコンテンツ）を楽しみたいと思うであろう。
【００３７】
図４は、本発明の一実施形態における、参加者の質問および回答サービスに対する参加による報酬モデルの例を示した図である。
【００３８】
質問生成過程４１０は、質問者３１０が質問および回答サービスに質問を登録する過程の例を示してよい。このとき、質問および回答サービス提供システムは、質問者３１０が保有しているポイントを差し引いてよい（４１１）。このとき、差し引かれるポイントをスマートポイントＡ（ｓｍａｒｔ  ｐｏｉｎｔ  Ａ、以下「ＳＭＰＡ」）とする。ここで、「差し引く」とは、ポイントや以下で説明されるコインの所有権の変更（一例として、参加者からシステムに）を意味してよい。質問生成過程４１０で差し引かれるポイントは、質問者３１０が質問を登録するための費用であってよい。
【００３９】
回答登録過程４２０は、回答者３２０が質問および回答サービスに質問の回答を登録する過程の例を示してよい。このとき、質問および回答サービス提供システムは、回答者３２０が保有しているポイントを差し引いてよい（４２１）。このとき、差し引かれるポイントをスマートポイントＢ（以下、「ＳＭＰＢ」）とする。
【００４０】
予測過程４３０は、予測者３３０が質問および回答サービスに登録された回答を選択する過程の例を示してよい。回答を選択する過程とは、どの回答が質問の正解となるかを選択する過程であってよい。この場合にも、質問および回答サービス提供システムは、予測者３３０が保有しているポイントを差し引いてよい（４３１）。このとき、差し引かれるポイントをスマートポイントＣ（以下、「ＳＭＰＣ」）とする。
【００４１】
予測締切過程４４０は、質問の正解が生成され、宣言者３４０が生成された正確な答えを宣言する前までの過程を示してよい。質問に対する予測締切前まで、参加者は、回答者３２０として質問の回答を登録したり、予測者３３０として登録された回答を選択したりしてよい。
【００４２】
結果登録過程４５０は、宣言者３４０が該当の質問に対する正確な答えを宣言する過程を示してよい。未来予測型質問に対し、所定の時間が経過した後に正確な答えが生成された場合、生成された正確な答えを認知している参加者が、宣言者３４０として質問の答えを宣言してよい。この場合、質問および回答サービス提供システムは、宣言者３４０が保有しているコインを担保としてよい（４５１）。ここで、「担保」とは、ポイントやコインの所有権は維持しつつも、活用することはできないように凍結することを意味してよい。その後、凍結されたポイントやコインは、条件に応じて凍結が解除されてよく、ポイントやコインの差引や返還、または報酬が実行されてよい。「返還」とは、ポイントやコインの所有権は維持しつつも、担保として凍結されたポイントやコインの凍結を解除することを意味してよい。このようなコインの担保４５１は、宣言者３４０が意図的に悪意をもって不正確な答えを宣言することを防ぐために活用されてよい。このとき、担保となるコインを予測コインＤ（ｆｏｒｅｃａｓｔ  ｃｏｉｎ  Ｄ、以下「ＦＲＣＤ」）とする。
【００４３】
結果検証過程４６０は、検証者３５０が、宣言者３４０により宣言された質問の答えを検証する過程の例を示してよい。一例として、コインを担保４５１したにもかかわらず、悪意目的または答え確認過程での誤りなどによって、正確でない答えを宣言した宣言者３４０が存在する可能性があるため、検証者３５０は、結果検証過程４６０において、このような宣言者３４０によって宣言された質問の答えを検証してよい。このとき、検証者３５０も、悪意目的や誤りによって、正確でない答えを正確なものであると検証する可能性があるため、検証者３５０に対してもコインを担保４６１として押さえてよい。このとき、担保となるコインを予測コインＥ（以下、「ＦＲＣＥ」）とする。
【００４４】
終了過程４７０は、質問に対する正確な答えが宣言されて検証されることにより、質問に対するクイズを終了する過程の例を示してよい。このとき、質問および回答サービス提供システムは、適法な検証者３５０に、担保とした「ＦＲＣＥ」を返還してよく、検証による報酬として、検証者３５０に予測コインＦ（以下、「ＦＲＣＦ」）を提供してよい。また、質問および回答サービス提供システムは、適法な宣言者３４０に、担保とした「ＦＲＣＤ」を返還してよく、宣言による報酬として、宣言者３４０に予測コインＧ（以下、「ＦＲＣＧ」）を提供してよい。さらに、正解を当てた回答者３２０と、正解を当てた回答者３２０によって登録された回答を選択した予測者３３０には、報酬としてスマートポイントＨ（以下、「ＳＭＰＨ」）が提供されてよい。最後に、質問者３１０にも、報酬としてスマートポイントＩ（以下、「ＳＭＰＩ」）が提供されてよい。
【００４５】
ランキング過程４８０は、参加者のスマートポイントＳＭＰのランキングに基づき、１位からｎ位までの参加者に予測コインＦＲＣを報酬として与える過程の例であってよい。ＳＭＰは、質問や回答を登録したり回答を選択したりすることに利用されてよく、参加者の順位を決定するのに利用されてよい。一方、ＦＲＣは、実質的な価値をもつ仮想通貨（ｖｉｒｔｕａｌ  ｍｏｎｅｙ）であってよく、宣言者３４０と検証者３５０が適法な宣言と検証を行うように誘導する担保と報酬のために、さらには質問と回答および予測によってコンテンツ生成に寄与したＳＭＰ上位ランク者に報酬を提供するために利用されてよい。
【００４６】
このように、質問者３１０、回答者３２０、および予測者３３０には、上述したように、コンテンツ生成（質問／回答／予測）の寄与に応じてランキングを構成し、これによって報酬（一例として、１位からｎ位までにＦＲＣを報酬）を支給してよい。また、宣言者３４０および検証者３５０には、サービス寄与（宣言／検証）に応じた寄与度報酬（一例として、「ＦＲＣＦ」および「ＦＲＣＧ」）を提供してよい。
【００４７】
また、質問者３１０が質問を登録するときに差し引かれる「ＳＭＰＡ」は、固定額形態で消耗する値であってよく、質問者３１０は、固定の割合で手数料形態の報酬「ＳＭＰＩ」を受け取ってよい。例えば、報酬「ＳＭＰＩ」は、以下の数式（１）のように計算されてよい。
【００４８】
ＳＭＰＩ＝ｐｏｔ×ａ／１００      ・・・（１）
【００４９】
ここで、「ｐｏｔ」は、該当の質問に対して蓄積された全体ポイントを意味し、「ａ」は、固定の割合（％）を意味してよい。より具体的な例として、ｐｏｔが１０，０００であり、ａが５である場合、ＳＭＰＩは５００となる。
【００５０】
回答登録や回答選択の際に差し引かれる「ＳＭＰＢ」および「ＳＭＰＣ」は、回答者３２０および予測者３３０が回答の予測のために使用する任意の値であってよい。このとき、回答者３２０および予測者３３０は、正解を登録したり正解を選択したりした場合に、「ＳＭＰＨ」を報酬として受け取ってよい。このとき、報酬「ＳＭＰＨ」は、質問者３１０に提供されなければならない手数料（一例として、「ＳＭＰＩ」）を除いた残りのポイントを、全正解者で比例配分した値であってよい。例えば、報酬「ＳＭＰＨ」は、以下の数式（２）のように計算されてよい。
【００５１】
ＳＭＰＨ＝［ｐｏｔ−手数料］／［正解者数］×［回答予測のために使用したポイント］  ・・・（２）
【００５２】
ここで、「手数料」は、質問者３１０に提供する報酬を意味し、「正解者数」は、正解である回答を登録した回答者３２０の数と、正解である回答を選択した予測者３３０の数を意味し、「回答予測のために使用したポイント」は、個人（報酬を受け取る回答者３２０または予測者３３０）が回答予測のために使用した任意の値としてのＳＭＰ（一例として、「ＳＭＰＢ」または「ＳＭＰＣ」）を意味してよい。例えば、「ｐｏｔ」が１０，０００であり、「手数料」が５００であり、「正解者数」が５であるとき、１０ポイントを回答予測のために使用した正解者は、１９，０００ポイントの報酬を受け取ってよい。ポイントは、ランキング算定の基準となる値であり、交換価値がないため、報酬として提供されるポイントが必ずしもｐｏｔ内で支払われる必要はない。このようなポイントは、質問／回答の登録や回答の選択回数を制限するために活用される要素であってよく、質問の回答と回答の選択のためのポイントの使用からギャンブル要素を取り除くための方法として活用されてよい。
【００５３】
宣言者３４０が受け取ることになる報酬「ＦＲＣＧ」は、一例として、以下の数式（３）のように計算されてよく、検証者３５０が提供を受け取るようになる報酬「ＦＲＧＦ」は、一例として、以下の数式（４）のように計算されてよい。
【００５４】
ＦＲＣＧ＝ｐｏｔ×ｂ／１００      ・・・（３）
【００５５】
ＦＲＣＦ＝ｐｏｔ×ｃ／１００      ・・・（４）
【００５６】
このような報酬モデルは、以下の表１のように整理されてよい。
【００５７】
【表１】
2020027650.tif 000003
【００５８】
実施形態によって、質問および回答サービス提供システムは、回答者３２０または予測者３３０が正解したとき、回答時点または予測時点が回答締切（予測締切）時点から遠いほど（すなわち、相対的により早く回答または予測するほど）、線形的に比例してランクポイント（Ｒａｎｋ  Ｐｏｉｎｔ）をさらに追加で提供してよい。
【００５９】
実施形態によって、スマートポイントに対する報酬が予測順序によって差等をつけて提供されてもよい。例えば、質問内の予測ｐｏｔの８０％が持分比例方式によって分配されてよく、残りの２０％は、持分比例および予測に使用されたポイントの順序によって線形的に差等分配されてよい。予測に使用されたポイントの順序は、ポイントの使用順序であって、正解の予測に使用された全ての数のポイントをＮとするとき、１位からＮ番目までの順序が存在するようになる。
【００６０】
既存の配当率「ｒ」が｛全体予測ｐｏｔ｝／Ｎであるとき、各使用順序で取得されるポイントは、以下の表２のように計算されてよい。
【００６１】
【表２】
2020027650.tif 000004
【００６２】
言い換えれば、ｎ番目に使用された１ポイントで取得することのできるランキングポイントは、以下の数式（５）のように計算されてよく、取得合計ポイントは、以下の数式（６）のように計算されてよい。
【００６３】
【数１】
2020027650.tif 000005
【００６４】
【数２】
2020027650.tif 000006
【００６５】
実施形態によって、宣言および検証は、自動化して処理されてもよい。例えば、質問および回答サービス提供システムは、登録された質問の回答をウェブから収集して、登録された回答と比較し、最も類似する回答を採択する方式によって、宣言および検証を自動化することができ、質問および回答サービスの正確度を増大させることができる。また、質問および回答サービス提供システムは、宣言と検証の過程で使用されたＵＲＬ（Ｕｎｉｆｏｒｍ  Ｒｅｓｏｕｒｃｅ  Ｌｏｃａｔｏｒ）を記録し、該当の質問のコンテンツと分野（ハッシュタグ（Ｈａｓｈｔａｇ）分析）を分類して検証システムを構築してよい。構築された検証システムによって検証をレーティング・インデックス（ｒａｔｉｎｇ  ｉｎｄｅｘ）化して未来の宣言／検証段階に適用させ、質問の回答の検証を自動化することができる。
【００６６】
また、登録された質問イベントに対する予測締切時間は、ウェブからの情報収集によって自動で算定および適用されてよい。自動的に算定された予測締切時間は、宣言者３４０の正確な答えではなく予測される答えであり、宣言を行う行為を遮断するのに活用されてよい。
【００６７】
以上で説明した質問および回答サービスは、ブロックチェーンと連係してよい。一実施形態として、質問および回答サービスは、スマートコントラクト（ｓｍａｒｔ  ｃｏｎｔｒａｃｔ）を利用して実現されてよい。スマートコントラクトとは、契約条件を実行するコンピュータトランザクションプロトコルを意味するものであり、ブロックチェーン技術を基盤に契約条件をコーディングし、条件に合えば契約内容が履行されるデジタル契約方式の自動化契約システムを意味してよい。言い換えれば、質問者３１０、回答者３２０、予測者３３０、宣言者３４０、検証者３５０、およびコンテンツ消費者３６０は、ブロックチェーンを利用した取引の参加者であってよく、質問および回答サービスにおいて、ポイントとコインに対する差引、報酬、担保、返還などの契約のための契約条件がブロックチェーンのスマートコントラクトとして実現されてよい。このとき、質問／回答登録、回答選択、宣言、検証などのような行為と契約条件によって自動的に行われるポイントとコインに対する差引、報酬、担保、返還などが、スマートコントラクトによってなされてよい。コインは、ブロックチェーンによって提供される暗号通貨であってよく、ブロックチェーンと関連するサービス内で交換価値のある貨幣であってよい。一方、ポイントは、この場合にも交換価値がなく、ランキングの算定のため、あるいは質問／回答の登録や回答の選択回数を制限するために活用される要素であってよい。これは、質問の回答と回答の選択のためのポイントの使用からギャンブル要素を取り除くための方法として活用されてよい。
【００６８】
図５は、本発明の一実施形態における、質問および回答サービス提供方法の例を示したフローチャートである。本実施形態に係る質問および回答サービス提供方法は、上述したコンピュータ装置２００によって実行されてよい。例えば、コンピュータ装置２００のプロセッサ２２０は、メモリ２１０に含まれるオペレーティングシステムのコードと、少なくとも１つのプログラムのコードとによる制御命令（ｉｎｓｔｒｕｃｔｉｏｎ）を実行するように実現されてよい。ここで、プロセッサ２２０は、コンピュータ装置２００に記録されたコードが提供する制御命令に従ってコンピュータ装置２００が、図５の方法に含まれる段階５１０〜段階５５０を実行するようにコンピュータ装置２００を制御してよい。
【００６９】
段階５１０において、コンピュータ装置２００は、質問者から質問を受信することができる。質問は、質問および回答サービスの提供のための多様なチャンネル（一例として、ウェブサイト、モバイルサイト、アプリケーションなど）を通じて受信されてよい。また、受信した質問は、多様なチャンネルで質問および回答サービスの提供を受けるユーザに提供されてよい。質問者も、このような質問および回答サービスの提供を受けるユーザの１人であってよく、一例として、上述した質問者３１０に対応してよい。
【００７０】
段階５２０において、コンピュータ装置２００は、回答者から質問の回答を受信することができる。例えば、回答者は、質問および回答サービスが提供する質問の中から、自身が望む質問を選択し、選択した質問の回答を作成してよい。質問の表示や質問に対する回答の受信も、上述した多様なチャンネルで行われてよい。回答者も、質問および回答サービスの提供を受けるユーザのうちの１人であってよく、一例として、上述した回答者３２０に対応してよい。
【００７１】
段階５３０において、コンピュータ装置２００は、回答フォロワーから回答に対するフォローを受信することができる。回答フォロワーは、上述した予測者３３０に対応してよく、１つの質問に対して登録された少なくとも１つの回答の中から、自身が正解であると思う回答を予測してよい。このような回答の正解予測のために１つの回答を選択することを「フォロー」としてよい。
【００７２】
段階５４０において、コンピュータ装置２００は、回答の正解が決まれば、質問者、回答者、および回答フォロワーに所定の割合でポイントに差等をつけて提供することができる。
【００７３】
一実施形態として、コンピュータ装置２００は、段階５４０においてで、正解である回答の受信時点または正解である回答に対するフォローの受信時点が質問に対する予測締切時点から遠くなるほど線形的に比例して増加する追加ポイントを、正解となる回答を提供した回答者または正解となる回答をフォローした回答フォロワーにさらに提供してよい。言い換えれば、回答者は、正解である回答をより早く登録するほど、回答フォロワーは、正解である回答をより早く選択（フォロー）するほど、より多くのポイントを報酬として受け取ることができるようになる。
【００７４】
他の実施形態として、回答の受信または回答に対するフォローの受信時に、回答者または回答フォロワーのポイントが、対応する回答の予測に使用される形態を考慮してよい。例えば、質問および回答サービスにおいて、質問者の質問の登録、回答者の回答の登録、または回答フォロワーの登録された回答に対するフォローに応じて、関連する参加者に予め割り当てられたポイントから、その少なくとも一部を差し引いてよい。このために、質問および回答サービスの参加者のそれぞれには、ポイントが予め割り当てられていてよい。このとき、質問者は、自身に割り当てられたポイントの一部を使って質問を登録してよく、回答者は、自身に割り当てられたポイントの一部を使って回答を登録してよい。さらに、回答フォロワーも、自身に割り当てられたポイントの一部を使って、登録された回答の中から少なくとも１つの回答を選択してよい。実施形態によっては、回答者が１つの質問に対して回答を１つだけしか登録できないように制限したり、予測者が登録された回答の中から回答を１つだけしか選択できないように制限したりしてもよい。このようなポイントは、交換価値がなく、参加者のランキングを算定するのに活用されてよい。回答者と予測者は、自身が望む分だけのポイントを、回答の登録および回答の選択（フォロー）に使用することができるが、ポイントには交換価値がないため、ギャンブル要素を取り除くことができる。この場合、コンピュータ装置２００は、段階５４０において、正解である回答の予測に使われたポイントのそれぞれの使用順序が早いほど、該当のポイントに対応して報酬として取得されるポイントが増加するように、回答者または回答フォロワーに提供するポイントを決定してよい。言い換えれば、回答者および／または回答フォロワーがより早く予測を実行（最終的に、より早く回答を登録するか回答をフォロー）するほど、正解である回答の予測に使われた１ポイントあたりの報酬ポイントが増加するようになるのである。表２、数式（５）および数式（６）を参照しながら、登録された質問に対する全体予測ポイントのｎ（ｎは有理数）％を持分比例によって分配し、残りの１００−ｎ％を持分比例および予測順序によって線形的に差等をつけて分配して回答者または回答フォロワーに提供する、ポイントを決定するための具体的な例について説明した。
【００７５】
また他の実施形態として、コンピュータ装置２００は、段階５４０において、質問に対する全体ポイントのうち予め設定された第１割合のポイントを、質問者に報酬として提供（数式（１）参照）し、全体ポイントから第１割合のポイントを除いたポイント数と正解者数との割合に基づき、回答者または回答フォロワーに提供するポイントを決定してよい。ここで、正解者数は、正解である回答の受信数と正解である回答に対するフォロー数を含んでよい。より具体的に、正解である回答を登録する回答者の数と正解である回答をフォローする回答フォロワーの数の合計が、正解者の数となってよい。
【００７６】
段階５５０において、コンピュータ装置２００は、差等をつけて提供されたポイントに基づき、質問者、回答者、および回答フォロワーのポイント順位を決定することができる。一例として、図３では、ＳＭＰランキングを決定し、決定されたＳＭＰランキングから一定の順位内に含まれる参加者を決定する例について説明した。
【００７７】
段階５６０において、コンピュータ装置２００は、決定されたポイント順位に基づき、質問者、回答者、および回答フォロワーのうちの少なくとも一部に対してコインを提供することができる。一例として、質問者、回答者、および回答フォロワーのポイント順位を決定した後、一定の順位内に入ったユーザを、報酬を受け取るユーザとして決定してよい。一例として、報酬は、ポイントおよび／またはコインの形態で提供されてよい。上述したように、ポイントには交換価値がなく、参加者のランキング（順位）を決定するために利用されてよい。この反面、コインは、ポイントとは異なり、実際に交換価値のある貨幣として提供されてよく、質問および回答サービスおよび／または関連する少なくとも１つの他のサービス内で交換価値のある貨幣として多様に活用されてよい。例えば、コインは、商品および／またはサービスの購入に活用可能な交換価値を有してよい。
【００７８】
図６は、本発明の一実施形態における、宣言者と検証者による正解宣言および検証方法の例を示した図である。図６の段階６１０〜段階６５０は、図５の段階５３０と段階５４０の間に実行されてよい。言い換えれば、質問と質問への回答、または回答に対する選択であるフォローがなされて一定時間（予測締切時点）が経過した後に、質問の正解を宣言する宣言者と、宣言者が宣言した正解を検証する検証者が存在してよい。
【００７９】
段階６１０において、コンピュータ装置２００は、宣言者から質問の正解宣言を受信することができる。例えば、宣言者は、現在進行中のサッカーのゲーム結果のように、一定時間後には正解が生成される未来予測型質問の正解を宣言してよい。このような正解の宣言も、上述した多様なチャンネルでなされてよい。コンピュータ装置２００は、宣言者が宣言した正解に関する情報である正解宣言を受信してよい。
【００８０】
段階６２０において、コンピュータ装置２００は、宣言者のコインのうち少なくとも一部を担保金として凍結することができる。確認されていない不明確な情報や悪意的に誤った情報が正解として宣言される可能性がある。これを防ぐために、コンピュータ装置２００は、宣言者のコインのうち少なくとも一部を担保金として凍結してよい。コインは、上述したように、交換価値のある貨幣の形態で活用されてよく、このような貨幣を担保金として凍結することにより、宣言者がより正確な正解を宣言するように誘導できるようになる。
【００８１】
段階６３０において、コンピュータ装置２００は、検証者から、受信した正解宣言に対する検証を受信することができる。言い換えれば、検証者は、宣言者が宣言した正解を検証してよい。このような検証者の検証過程も、上述した多様なチャンネルでなされてよい。例えば、正解宣言が多様なチャンネルを通じてユーザに表示されてよく、ユーザのうちで正解宣言を検証しようとするユーザが検証者となって、表示された正解宣言に対する検証を提供してよい。
【００８２】
段階６４０において、コンピュータ装置２００は、検証者のコインのうちの少なくとも一部を担保金として凍結することができる。検証者も、意図的または誤った検証を提供する可能性があるため、これを防ぐために、コンピュータ装置２００は、検証者のコインのうちの少なくとも一部を担保金として凍結してよい。コインは、上述したように、交換価値のある貨幣の形態で活用されてよく、このような貨幣を担保金として凍結することにより、検証者がより正確な検証を提供するように誘導できるようになる。
【００８３】
段階６５０において、コンピュータ装置２００は、宣言した正解が検証された場合、凍結された担保金を返還し、報酬として決定されたコインを、宣言者および検証者に提供することができる。宣言者の正解宣言や検証者の検証に異常がなければ、担保金は該当の宣言者と検証者に返還されてよく、宣言と検証による報酬がコインの形態で宣言者と検証者に提供されてよい。例えば、コンピュータ装置２００は、質問に対する全体ポイントの第２割合に対応する分のコインを宣言者に提供し、質問に対する全体ポイントの第３割合に対応する分のコインを検証者に提供してよい。宣言と検証に対する報酬を決定する方法の一例は、数式（３）および数式（４）を参照しながら説明したとおりである。実施形態によっては、段階６５０は、図５を参照しながら説明した段階５４０、段階５５０、および段階５６０のうちのいずれか１つの次に実行されてよい。
【００８４】
一方、このような宣言と検証の自動化のために、コンピュータ装置２００は、宣言者によって宣言された正解を検証者が検証する過程で使用されたＵＲＬを記録し、質問のコンテンツと分野を分類して検証システムを構築してもよい。構築された検証システムは、未来に宣言と検証を自動化するために活用されてよい。
【００８５】
他の実施形態として、宣言と検証の自動化のために、コンピュータ装置２００は、ウェブを活用してもよい。
【００８６】
図７は、本発明の一実施形態における、正解宣言および検証方法の他の例を示した図である。図７の段階７１０および段階７２０は、図５の段階５３０と段階５４０の間に実行されてよい。
【００８７】
段階７１０において、コンピュータ装置２００は、質問の正解をウェブから収集することができる。一定時間が経過した後、未来予測型質問の正解は、ウェブ上に公開される可能性が高い。この場合、コンピュータ装置２００は、質問の正解をウェブから収集してよい。
【００８８】
段階７２０において、コンピュータ装置２００は、収集された正解と、質問に対して受信した回答とを比較し、受信した回答の中から正解として分類される回答を採択することができる。言い換えれば、宣言者や検証者は置かずに、コンピュータ装置２００が直接にウェブから正解を検索し、正解である回答を確認することができる。
【００８９】
一方、質問および回答サービスの参加者は、ブロックチェーンを利用した取引の参加者を含んでよい。この場合、コンピュータ装置２００は、ポイントを差し引くこと、質問者、回答者、または回答フォロワーにポイントやコイン、報酬を提供すること、宣言者や検証者のコインを担保金として凍結すること、宣言者や検証者の担保金を返還すること、および宣言者や検証者に報酬としてコインを提供することのうちの少なくとも１つを、ブロックチェーンと関連付けて登録されたスマートコントラクト（ｓｍａｒｔ  ｃｏｎｔｒａｃｔ）の契約条件に基づいて実行してよい。より具体的な例として、ブロックチェーン上に登録されるスマートコントラクトには、ポイントやコインの提供、凍結、返還などのための契約条件が設定されていてよく、コンピュータ装置２００は、このようなスマートコントラクトに設定された契約条件に基づき、ポイントやコインの提供、凍結、返還などを処理してよい。このとき、実施形態によって、報酬として提供されるコインは、ブロックチェーン上で利用される暗号通貨を含んでよい。
【００９０】
このように、本発明の実施形態によると、ユーザが直接参加することができ、正確な答えがあり、これを検証することのできる未来予測クイズ方式の質問および回答サービスを提供することができる。また、集団知性が価値ある情報を創り出せるように、クイズおよびランキングの娯楽要素を加え、未来に対する集団知性寄与行為を保障する質問および回答サービスを提供することができる。
【００９１】
上述したシステムまたは装置は、ハードウェア構成要素、またはハードウェア構成要素とソフトウェア構成要素との組み合わせによって実現されてよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００９２】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、仮想装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００９３】
実施形態に係る方法は、多様なコンピュータ手段によって実行可能なプログラム命令の形態で実現されてコンピュータ読み取り可能な媒体に記録されてよい。コンピュータ読み取り可能な媒体は、プログラム命令、データファイル、データ構造などを単独でまたは組み合わせて含んでよい。媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。プログラム命令の例には、コンパイラによって生成されるもののような機械語コードだけでなく、インタプリタなどを使用してコンピュータによって実行されることができる高級言語コードを含む。
【００９４】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって代替されたり置換されたとしても、適切な結果を達成することができる。
【００９５】
したがって、異なる実施形態であっても、特許請求の範囲と均等なものであれば、添付される特許請求の範囲に属する。
【符号の説明】
【００９６】
３１０：質問者
３２０：回答者
３３０：予測者
３４０：宣言者
３５０：検証者
４１０：質問生成
４２０：回答登録
４３０：予測
４４０：予測締切
４５０：結果登録
４６０：結果検証
４７０：終了
４８０：ランキング
【図１】
2020027650.tif 000007
【図２】
2020027650.tif 000008
【図３】
2020027650.tif 000009
【図４】
2020027650.tif 000010
【図５】
2020027650.tif 000011
【図６】
2020027650.tif 000012
【図７】
2020027650.tif 000013